(57)【要約】【課題】ユーザのニーズに適合した明るさが得られる照明装置を提供する。【解決手段】照明装置は、光源と点灯制御部とを具備する。光源は、複数の第１発光素子と、第１発光素子とは出力する光の色温度が異なる複数の第２発光素子とを有する。点灯制御部は、光源からの出力光が予め定められた色温度と光束との関係を有する第１モードと、第１モードの領域とは不連続の領域を有する第２モードとに応じて第１発光素子および第２発光素子の点灯を制御する。【選択図】図４
2019061805.tif 000002
【特許請求の範囲】
【請求項１】
複数の第１発光素子と、前記第１発光素子とは出力する光の色温度が異なる複数の第２発光素子とを有する光源と；
前記光源からの出力光が予め定められた色温度と光束との関係を有する第１モードと、前記第１モードの領域とは不連続の領域を有する第２モードとに応じて前記第１発光素子および前記第２発光素子の点灯を制御する点灯制御部と；
を具備することを特徴とする照明装置。
【請求項２】
前記点灯制御部は、前記第２モードにおける前記出力光の光束が前記第１モードにおける前記出力光の最高光束よりも高くなるように制御することを特徴とする請求項１に記載の照明装置。
【請求項３】
前記第２発光素子の色温度は、前記第１発光素子の色温度よりも低く、
前記第２発光素子からの出力は、前記第２モードの方が前記第１モードよりも高いことを特徴とする請求項１または２に記載の照明装置。
【請求項４】
前記第２モードにおける前記出力光は、色温度および光束の組み合わせが可変であることを特徴とする請求項１〜３のいずれか一項に記載の照明装置。
【請求項５】
前記点灯制御部は、前記第１モードから前記第２モードに移行したときの前記出力光が、前記第２モードにおける最高色温度および最高光束を有するように制御することを特徴とする請求項１〜４のいずれか一項に記載の照明装置。
【発明の詳細な説明】
【技術分野】
【０００１】
本発明の実施形態は、照明装置に関する。
【背景技術】
【０００２】
部屋の広さに応じた光束の最大値のときの色温度を維持しつつ光束をさらに増加する調光制御を行うことで一時的に室内を明るくする照明装置が開発されている。
【先行技術文献】
【特許文献】
【０００３】
【特許文献１】特開２０１７−１３９２４１号公報
【発明の概要】
【発明が解決しようとする課題】
【０００４】
しかしながら、上記した照明装置では、必ずしもユーザのニーズに適合した明るさが得られるとは限らないため、使途が限定的であった。
【０００５】
本発明が解決しようとする課題は、ユーザのニーズに適合した明るさが得られる照明装置を提供することである。
【課題を解決するための手段】
【０００６】
実施形態の照明装置は、光源と点灯制御部とを具備する。光源は、複数の第１発光素子と、第１発光素子とは出力する光の色温度が異なる複数の第２発光素子とを有する。点灯制御部は、光源からの出力光が予め定められた色温度と光束との関係を有する第１モードと、第１モードの領域とは不連続の領域を有する第２モードとに応じて第１発光素子および第２発光素子の点灯を制御する。
【発明の効果】
【０００７】
本発明によれば、ユーザのニーズに適合した明るさが得られる照明装置を提供することができる。
【図面の簡単な説明】
【０００８】
【図１】実施形態に係る照明装置を示す斜視図である。
【図２】実施形態に係る照明装置を示す分解斜視図である。
【図３】実施形態に係る照明装置においてカバー部材及び点灯装置カバーを取り外して下方から見て示す概略の平面図である。
【図４】実施形態に係る照明装置の構成の一例を模式的に示すブロック図である。
【図５】実施形態に係る照明装置が有する光源からの出力光の色温度と光束との関係の一例を示す図である。
【発明を実施するための形態】
【０００９】
以下に説明する実施形態に係る照明装置１００は、光源２２ａと点灯制御部９１とを具備する。光源２２ａは、複数の第１発光素子９４−１〜９４−ｎと、第１発光素子９４−１〜９４−ｎとは出力する光の色温度が異なる複数の第２発光素子９５−１〜９５−ｎとを有する。点灯制御部９１は、光源２２ａからの出力光が予め定められた色温度と光束との関係を有する第１モードと、第１モードの領域ｍ１とは不連続の領域ｍ２を有する第２モードとに応じて第１発光素子９４−１〜９４−ｎおよび第２発光素子９５−１〜９５−ｎの点灯を制御する。
【００１０】
また、以下に説明する実施形態に係る点灯制御部９１は、第２モードにおける出力光の光束が第１モードにおける出力光の最高光束よりも高くなるように制御する。
【００１１】
また、以下に説明する実施形態に係る第２発光素子９５−１〜９５−ｎの色温度は、第１発光素子の色温度よりも低く、第２発光素子９５−１〜９５−ｎからの出力は、第２モードの方が第１モードよりも高い。
【００１２】
また、以下に説明する実施形態に係る第２モードにおける出力光は、色温度および光束の組み合わせが可変である。
【００１３】
また、以下に説明する実施形態に係る点灯制御部９１は、第１モードから第２モードに移行したときの出力光が、第２モードにおける最高色温度および最高光束を有するように制御する。
【００１４】
以下に、本発明に係る実施形態を図面に基づき説明する。各図においてリード線等による配線接続関係は省略して示している場合がある。なお、以下に示す実施形態は、本発明が開示する技術を限定するものではない。また、実施形態において同一の部位には同一の符号を付し、重複する説明は省略する。
【００１５】
［実施形態］
図１は、実施形態に係る照明装置を示す斜視図、図２は、実施形態に係る照明装置を示す分解斜視図、図３は、実施形態に係る照明装置においてカバー部材及び点灯装置カバーを取り外して下方から見て示す概略の平面図である。実施形態に係る照明装置は、取付面に設置された配線器具としての引掛けシーリングボディに取り付けられて使用される一般住宅用のものであり、基板に実装された複数の発光素子を有する光源部から放射される光によって室内の照明を行うものである。
【００１６】
図１〜図３において、照明装置は、本体１と、光源部２と、拡散部材３と、点灯装置４と、点灯装置カバー５と、取付部６と、カバー部材７とを備えている。また、取付面としての天井面Ｃに設置された引掛けシーリングボディ（図示せず）に電気的かつ機械的に接続されるアダプタＡを備えている。このような照明装置は、丸形の円形状の外観に形成され、前面側を光の照射面とし、背面側を天井面Ｃへの取付面としている。
【００１７】
本体１は、冷間圧延鋼板等の金属材料の平板から円形状に形成されたシャーシであり、略中央部に、取付部６を配設するための円形状の開口が形成されている。また、光源部２が取り付けられる内面側の平坦部１２の外周側には、背面側へ向かう段差部１３が形成されて樋状の凹部１４が形成されている。さらに、本体１の背面側には、弾性部材（図示せず）が設けられている。
【００１８】
光源部２は、基板２１と、この基板２１に実装された光源２２ａとを備えている（図２においては光源２２ａの図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。これら複数の基板２１は、実装面上のコネクタで接続されている。なお、基板２１は、円形若しくは多角形の形状を有し、開口を有する１枚の基板であってもよい。
【００１９】
基板２１は、絶縁材であるガラスエポキシ樹脂（ＦＲ−４）の平板からなり、表面側には銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００２０】
光源２２ａは、複数の発光素子で構成される。発光素子は、ＬＥＤであり、表面実装型のＬＥＤパッケージである。このＬＥＤパッケージが複数個サークル状の基板２１の周方向に沿って、複数列、本実施形態では、内周側及び外周側の２列に亘って実装されている。また、ＬＥＤパッケージには、発光色が昼白色の発光素子と電球色の発光素子とが用いられており、これらが交互に並べられていて、各列の隣接する発光素子は略等間隔を空けて配設されている。この昼白色と電球色の発光素子に流れる電流等を調整することにより調色が可能となっている。
【００２１】
なお、特定の基板２１（図３中、右側）には、常夜灯用の補助光源２２ｃが実装されている。この補助光源２２ｃには、サークル状に実装された主光源（光源２２ａ）における電球色の発光素子と同じＬＥＤパッケージが用いられている。
【００２２】
なお、光源２２ａは、必ずしも複数列に実装する必要はない。例えば、周方向に沿って１列に実装するようにしてもよい。所望する出力に応じて光源２２ａの列数や個数を適宜設定することができる。
【００２３】
ＬＥＤパッケージは、概略的にはセラミックスや合成樹脂で形成された本体に配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
【００２４】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２５】
拡散部材３は、レンズ部材であり、例えば、ポリカーボネートやアクリル樹脂等の絶縁性を有する透明合成樹脂からなり、光源２２ａが有する複数の発光素子の配置に沿って略サークル状に一体的に形成されていて、光源２２ａを含めて基板２１の実装面側の全面を覆うように配設されている。
【００２６】
また、拡散部材３は、略サークル状の内周側部分と外周側部分とに光源２２ａに対向して円周方向に２条の山形の突条部３１が形成されている。この突条部３１の内側には、Ｕ字状の溝（図示せず）が円周方向に沿って形成されている。したがって、Ｕ字状の溝は、光源２２ａの複数の発光素子と対向して配置されるようになっており、光源２２ａの複数の発光素子は、Ｕ字状の溝内に収められる状態となっている。
【００２７】
さらに、これら突条部３１からは幅方向に延出する平坦部３３が形成されており、これにより基板２１の実装面側の全面が覆われるようになっている。
【００２８】
このように構成された拡散部材３によれば、光源２２ａが有する複数の発光素子から出射された光は、突条部３１によって、主として円周上の内周方向及び外周方向に拡散されて放射される。すなわち、光源２２ａが有する複数の発光素子から出射された光は、光源２２ａが有する複数の発光素子が配置されたところのサークル状の中心を原点とする半径方向へ主として拡散して放射されるようになる。
【００２９】
拡散部材３は、光源２２ａと対向する断面と、補助光源２２ｃと対向する断面とが異なる形状を有する。例えば、光源２２ａと対向する断面は、照射方向に突条の形状を有し、補助光源２２ｃと対向する断面は、平坦若しくは光源２２ａと対向する断面よりも照射方向の盛り上がりが小さい突条の形状を有していてもよい。また、拡散部材３は、光源２２ａと対向する断面が平坦となり、補助光源２２ｃと対向する断面が盛り上がりを有していてもよい。また、拡散部材３は、開口を有さず、本体の開口を含め基板２１の前面を覆う一枚板状であってもよい。
【００３０】
上記のように構成された光源部２は、基板２１が取付部６の周囲に位置して、光源２２ａの実装面が前面側、すなわち、下方の照射方向に向けられて配設されている。また、基板２１の裏面側が本体１の内面側の平坦部１２に密着するように面接触して取り付けられている。具体的には、基板２１の前面側から拡散部材３が重ね合わされ、この拡散部材３を例えば、ねじ等の固定手段（図示せず）によって本体１に取り付けることにより、基板２１は、本体１と拡散部材３との間に挟み込まれて押圧固定されるようになっている。つまり、１本のねじによって基板２１と拡散部材３とが共締めされている。
【００３１】
したがって、基板２１は、本体１と熱的に結合され、基板２１からの熱が裏面側から本体１に伝導され放熱されるようになっている。なお、基板２１と本体１との面接触は、基板２１の裏面側の全面が本体１に接触する場合に限らない。部分的な面接触であってもよい。
【００３２】
点灯装置４は、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、リード線を介してその直流出力を光源２２ａの各発光素子に供給し、発光素子を点灯制御するようになっている。
【００３３】
このような点灯装置４は、取付部６と光源部２、すなわち、基板２１との間に配設されている。
【００３４】
点灯装置カバー５は、冷間圧延鋼板等の金属材料によって略短円筒状に形成され、点灯装置４を覆うように本体１に取り付けられている。側壁５１は、背面側に向かって拡開するように傾斜状をなしており、前面壁５２には、取付部６と対応するように開口部５３が形成されている。したがって、光源２２ａの各発光素子から出射される一部の光は、側壁５１によって前面側に反射され有効に利用されるようになる。また、この開口部５３の周縁には背面側へ凹となる円弧状のガイド凹部５４が形成されている。
【００３５】
取付部６は、略円筒状に形成されたアダプタガイドであり、取付部６の中央部には、アダプタＡが挿通し、係合する係合口（図示せず）が設けられている。取付部６は、本体１の中央部に形成された開口に対応して配設されている。取付部６の外周部には、この外周部から突出するように基台が形成されていて、この基台には赤外線リモコン信号受信部や照度センサ等の電気的補助部品６２が配設されている。
【００３６】
なお、取付部６は、必ずしもアダプタガイド等と指称される部材である必要はない。例えば、本体１等に形成される開口であってもよく、要は、引掛けシーリングボディに対向し、アダプタＡが係合される部材や部分を意味している。
【００３７】
カバー部材７は、アクリル樹脂等の透光性を有し、乳白色を呈する拡散性を備えた材料から略円形状に形成されており、中央部には不透光性の円形状の化粧カバー７１が取り付けられている。また、この化粧カバー７１には、電気的補助部品６２と対向するように略三角形状の透光性を有する受光窓７２が形成されている。さらに、カバー部材７の内面側の中央寄りには、内面方向に突出する突出ピン７３が形成されている。
【００３８】
そして、カバー部材７は、光源部２を含めた本体１の前面側を覆うように本体１の外周縁部に着脱可能に取り付けられるようになっている。具体的には、カバー部材７を回動することによって、カバー部材７に設けられたカバー取付金具（図示せず）を本体１の外周縁部の凹部１４に配設されたカバー受金具７５に係合することにより取り付けられる。また、カバー部材７は、回動を規制する位置規制手段（図示せず）を有し、受光窓７２の位置を電気的補助部品６２と対向するように本体１に取り付けられる。
【００３９】
このようにカバー部材７が本体１に取り付けられた状態においては、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
【００４０】
アダプタＡは、略円筒状をなし、天井面Ｃに設置された引掛けシーリングボディに、上面側に設けられた引掛刃によって電気的かつ機械的に接続されるものであり、周壁の両側には一対の係止部Ａ１が、内蔵されたスプリングによって常時外周側へ突出するように設けられている。この係止部Ａ１は下面側に設けられたレバーを操作することにより没入するようになっている。また、このアダプタＡからは、点灯装置４へ接続する電源コードが導出されていて、点灯装置４とコネクタを介して接続されるようになっている。
【００４１】
照明装置の天井面Ｃへの取り付け状態において、点灯装置４に電力が供給されると、基板２１を介して光源２２ａの各発光素子に通電され、この各発光素子が点灯する。各発光素子から出射された光は拡散部材３によって半径方向へ拡散されるとともに、前面側へ放射される。前面側へ放射された光は、カバー部材７を透過して外方へ照射される。
【００４２】
また、半径方向の内周側へ向かう一部の光は、点灯装置カバー５における傾斜状の側壁５１によって前面側に反射され有効に利用されるようになる。
【００４３】
一方、光源２２ａの各発光素子から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
【００４４】
また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
【００４５】
さらに、カバー部材７は、点灯装置カバー５に面接触するようになっているので、点灯装置４から発生する熱を点灯装置カバー５へ伝導し、さらにカバー部材７へ伝導させて放熱をさせることができる。
【００４６】
なお、実施形態に係る照明装置は、上記した構成に限られない。例えば、点灯装置４の前面に、点灯装置４を覆うように平坦な隔壁板を配置し、隔壁板の前面に基板２１を配置し、基板２１の前面に拡散部材３を配置し、拡散部材３を含む全体を覆うように、カバー部材７を配置してもよい。
【００４７】
図４は、実施形態に係る照明装置の構成の一例を模式的に示すブロック図である。実施形態に係る照明装置１００は、複数の第１発光素子および複数の第２の発光素子を備え、第１発光素子および第２の発光素子の色温度をそれぞれの限界まで制御可能とする。
【００４８】
照明装置１００は、制御部８１、電源部８２、点灯制御部９１、複数の第１発光素子９４−１〜９４−ｎおよび複数の第２発光素子９５−１〜９５−ｎを有する。複数の第１発光素子９４−１〜９４−ｎおよび複数の第２発光素子９５−１〜９５−ｎは、光源部２のＬＥＤ搭載面に略均等に交互に配置され、全体として照明装置１００の光源２２ａとなる。
【００４９】
制御部８１は、例えばマイコン等の処理装置である。制御部８１は、例えばリモコン操作によってユーザにより入力された設定に対応する制御信号を生成し、点灯制御部９１に出力する。制御部８１が生成する制御信号は、例えば、パルス変調により複数の第１発光素子９４−１〜９４−ｎおよび複数の第２発光素子９５−１〜９５−ｎの出力制御を行うＰＷＭ（Pulse  Width  Modulation）である。
【００５０】
電源部８２は、交流電源９０から供給された交流電力を直流電力に変換して出力する。交流電源９０は、例えば商用電源である。
【００５１】
点灯制御部９１は、電源部８２から供給される直流電流を、複数の第１発光素子９４−１〜９４−ｎおよび複数の第２発光素子９５−１〜９５−ｎへ給電し、第１発光素子９４−１〜９４−ｎおよび第２発光素子９５−１〜９５−ｎの点灯を制御する。
【００５２】
点灯制御部９１は、第１点灯制御部９２、第２点灯制御部９３を有する。第１点灯制御部９２および第２点灯制御部９３は、制御部８１が生成した制御信号に応じて、電源部８２からの直流電流を制御し、複数の第１発光素子９４−１〜９４−ｎおよび複数の第２発光素子９５−１〜９５−ｎへ供給する。
【００５３】
第１発光素子９４−１〜９４−ｎおよび第２発光素子９５−１〜９５−ｎは、出力する光の色温度が互いに異なる。具体的には、第１発光素子９４−１〜９４−ｎは、白色の光、例えば、６５００Ｋ程度の色温度の光を出力し、第２発光素子９５−１〜９５−ｎは、第１発光素子９４−１〜９４−ｎよりも色温度が低いオレンジ色の光、例えば、２０００Ｋ程度の色温度の光を出力する。ただし、出力する光の色温度が互いに異なる組み合わせであれば第１発光素子９４−１〜９４−ｎおよび第２発光素子９５−１〜９５−ｎの選択は任意である。
【００５４】
次に、実施形態に係る照明装置１００における調光調色制御によって光源２２ａから出力される光の色温度と光束との関係の一例について、図５を用いて説明する。図５は、実施形態に係る照明装置１００が有する光源２２ａからの出力光の色温度と光束との関係の一例を示す図である。なお、図５では、横軸を色温度（単位：Ｋ）、縦軸を光束（単位：ｌｍ）として図示している。
【００５５】
点Ｐ１、Ｐ２、Ｐ３、Ｐ４、Ｐ５、Ｐ１を順に繋ぐ線分で囲まれた領域ｍ１は、実施形態に係る照明装置１００における通常モードでの調光調色制御によって光源２２ａから出力される光が有する色温度および光束の範囲を示している。実施形態に係る照明装置１００は、通常モードでは色温度Ｔ１〜Ｔ６、光束Ｌ１〜Ｌ３の範囲で調光調色制御を行う。
【００５６】
点Ｐ４では、通常モードにおける出力光の光束が上限値Ｌ３を示している。通常モードにおける出力光の最高光束は、一般社団法人日本照明工業会が適用畳数に応じて規定した範囲（例えば適用畳数が１４畳の場合、５１００ｌｍ〜６１００ｌｍ）に収まるように定められる。実施形態に係る照明装置１００では、通常モードにおける光束の上限（以下「最高光束」と称する）Ｌ３は規定範囲の上限の６１００ｌｍに設定される。
【００５７】
なお、適用畳数が１４畳の場合、例えば色温度Ｔ１＝２７００Ｋ、Ｔ５＝６２００Ｋ、Ｔ６＝６５００Ｋ、光束Ｌ１＝２８００ｌｍなどと設定することができるが、これらに限定されるものではなく、例えば第１発光素子９４−１〜９４−ｎおよび第２発光素子９５−１〜９５−ｎの出力光がそれぞれ有する色温度等に応じて適宜定められる。
【００５８】
ここで、通常モード（以下「第１モード」と称する場合がある）における任意の点Ｐ６で示される色温度および光束を有する光が光源２２ａから出力されているときに、ユーザ操作等により最高光束Ｌ３よりも高い値の光束を有する光を出力すべき旨の指示を照明装置１００が受信した場合、第１モードの領域ｍ１とは不連続の領域ｍ２を有する第２モードに移行して光源２２ａの制御を行う。
【００５９】
領域ｍ２は、点Ｑ１、Ｑ３、Ｑ９、Ｑ７、Ｑ１を順に繋ぐ線分で囲まれている。図５に示すように、実施形態に係る照明装置１００では、第２モードでは色温度Ｔ２〜Ｔ４、光束Ｌ４〜Ｌ６の範囲に含まれる点Ｑ１〜点Ｑ９の計９パターンの調光調色制御を行うことができる。このように、第２モードにおける光源２２ａからの出力光は、色温度および光束の組み合わせが可変であるため、ユーザのニーズに適合した明るさが得られる。実施形態に係る照明装置１００は、光源２２ａが有する第１発光素子９４−１〜９４−ｎおよび第２発光素子９５−１〜９５−ｎの出力光を拡散部材３で拡散し、さらに、カバー部材７で拡散するので、第２モードのように、光束を高めた場合であっても、第１発光素子９４−１〜９４−ｎおよび第２発光素子９５−１〜９５−ｎが出力する光を効果的に拡散させる結果、カバー部材７表面における光の粒々感を軽減することができる。なお、第２モードにおける調光調色制御は９パターンに限らず、例えば８以下、あるいは１０以上の制御パターンを有していてもよい。また、点灯制御部９１が、第２モード内で色温度および光束を無段階で制御可能となるように構成してもよい。
【００６０】
このように第１モードにおける最高光束Ｌ３よりもさらに光束を高めた光を出力する第２モードは、第２発光素子９５−１〜９５−ｎからの光の出力を第１モードよりも高める、すなわち第２発光素子９５−１〜９５−ｎに供給する電流値を高めることにより実現される。このため、第１モードでは第２発光素子９５−１〜９５−ｎからの出力が比較的低い領域の色温度で第２モードを設定することが好ましい。
【００６１】
なお、実施形態に係る照明装置１００では、光束Ｌ４、Ｌ５、Ｌ６は第１モードにおける最高光束Ｌ３（例えば、６１００ｌｍ）のそれぞれ１．３倍（例えば、７９３０ｌｍ）、１．４倍（例えば、８５４０ｌｍ）、１．５倍（例えば、９１５０ｌｍ）と設定される。ただし、かかる設定は、例えば照明装置１００の適用畳数や用途等に応じて任意に設定してよい。
【００６２】
また、適用畳数が１４畳の場合、例えば色温度Ｔ２＝３９００Ｋ、Ｔ３＝４２００Ｋ、Ｔ４＝４５００Ｋなどと設定することができるが、これらに限定されるものではなく、例えば照明装置１００の適用畳数や用途、第１発光素子９４−１〜９４−ｎおよび第２発光素子９５−１〜９５−ｎの色温度等に応じて任意に設定してよい。
【００６３】
実施形態に係る照明装置１００は、第１モードから第２モードに移行する際、点灯制御部９１は、光源２２ａからの出力光が、第２モードにおける最高色温度Ｔ４および最高光束Ｌ６を有する点Ｑ９に移行するように制御する。かかる制御により、光源２２ａは、第１モードから第２モードに移行した時には常に同じ色温度および光束を有する光を出力することができる。ただし、第１モードから第２モードに移行する際の制御はこれに限らず、例えば第２モードにおいて前回適用された直近の制御パターンに合わせて色温度および光束を有する光を出力してもよい。
【００６４】
上述してきたように、実施形態に係る照明装置１００は、光源２２ａと点灯制御部９１とを具備する。光源２２ａは、複数の第１発光素子９４−１〜９４−ｎと、第１発光素子９４−１〜９４−ｎとは出力する光の色温度が異なる複数の第２発光素子９５−１〜９５−ｎとを有する。点灯制御部９１は、光源２２ａからの出力光が予め定められた色温度と光束との関係を有する第１モードと、第１モードの領域ｍ１とは不連続の領域ｍ２を有する第２モードとに応じて第１発光素子９４−１〜９４−ｎおよび第２発光素子９５−１〜９５−ｎの点灯を制御する。このため、実施形態に係る照明装置１００によれば、ユーザのニーズに適合した明るさが得られる照明装置を提供することができる。
【００６５】
なお、実施形態に係る照明装置１００では、第２モードの領域ｍ２は、光束の上限および下限がいずれも色温度の大きさにかかわらず一定な例について示したが、これに限らず、例えば点Ｑ１、Ｑ３を繋ぐ線分で示される第２モードの下限が、点Ｐ５、Ｐ４を繋ぐ線分で示される第１モードの上限と並行するように色温度の上昇に応じて光束の下限が上昇してもよい。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６７】
２２ａ  光源
８１  制御部
８２  電源部
９０  交流電源
９１  点灯制御部
９２  第１点灯制御部
９３  第２点灯制御部
９４−１〜９４−ｎ  第１発光素子
９５−１〜９５−ｎ  第２発光素子
１００  照明装置
【図１】
2019061805.tif 000003
【図２】
2019061805.tif 000004
【図３】
2019061805.tif 000005
【図４】
2019061805.tif 000006
【図５】
2019061805.tif 000007